(57)【要約】【課題】良好な生産性と優れた外観とを有する屋根を具えた住宅を提供する。【解決手段】屋根２を有する住宅１である。屋根２は、片流れの屋根本体３と、屋根本体３の外周縁３ｔに沿って配された屋根縁化粧材４とを含んでいる。屋根縁化粧材４は、実質的に同一の外面輪郭形状３６で屋根本体３の周囲を連続してのびている。【選択図】図１
2015010324.tif 000002
【特許請求の範囲】
【請求項１】
屋根を有する住宅であって、
前記屋根は、片流れの屋根本体と、前記屋根本体の外周縁に沿って配された屋根縁化粧材とを含み、
前記屋根縁化粧材は、実質的に同一の外面輪郭形状で前記屋根本体の周囲を連続してのびていることを特徴とする住宅。
【請求項２】
前記屋根縁化粧材の前記外面輪郭形状は、前記屋根本体の屋根面側から屋根本体と離れる向きにのびる上面部、前記屋根本体の軒天井側から屋根本体と離れる向きにのびる下面部、及び、前記上面部と前記下面部との間をのびる前面部を有した略横向きのコ字状であり、
前記上面部は、前記屋根本体から離れるに従って上方に向かう水勾配を有している請求項１記載の住宅。
【請求項３】
前記上面部は、前記屋根本体の前記屋根面を、屋根縁を超えて延長させた仮想屋根面よりも上方に位置する部分を含んでいる請求項２記載の住宅。
【請求項４】
前記屋根縁化粧材は、前記屋根本体の軒、棟及びケラバに沿って配される長尺な本体部と、隣り合う前記本体部間を繋ぐコーナ部とが接続されることで構成されている請求項１乃至３のいずれかに記載の住宅。
【請求項５】
前記屋根縁化粧材の前記本体部は、前記下面部を含む下側部材と、前記上面部を含む上側部材とに分離可能な少なくとも２つの部材からなり、
前記下側部材の上端部には、前記上側部材の下端部が挿入されることにより位置決めされる溝部が設けられている請求項４記載の住宅。
【請求項６】
前記下側部材の前記上端部は、上縁を有する前壁部と、前記前壁部の上縁よりも下方でかつ前記前壁部の屋根本体側を向く背面から前記前壁部と距離を隔てて上方にのびることにより、前記前壁部との間に前記溝部を形成する後壁部とを有している請求項５に記載の住宅。
【請求項７】
前記後壁部は、前記前壁部の背面から前記屋根本体側に凸となる半円状の円弧でのびる第１部分と、前記第１部分に連なり前記前壁部に沿ってのびる第２部分とを含んでおり、
前記上側部材の前記下端部は、前記溝部に差し込まれる挿入部と、前記挿入部に連なり前記後壁部の前面に沿って配される立片とを有している請求項６記載の住宅。
【発明の詳細な説明】
【技術分野】
【０００１】
本発明は、例えば、良好な生産性と優れた外観とを有する屋根を具えた住宅に関する。
【背景技術】
【０００２】
従来、片流れ屋根を有する住宅が提案されている。片流れ屋根は、例えば、屋根本体と、その外周縁に沿って配された屋根縁化粧材とを含んでいる。
【先行技術文献】
【特許文献】
【０００３】
【特許文献１】特開平５−２８７８６７号公報
【発明の概要】
【発明が解決しようとする課題】
【０００４】
屋根縁化粧材は、例えば、屋根本体の棟、軒及びケラバに配置される複数の部材から構成されている。各部材は、棟、軒及びケラバの各位置において、それぞれの外周縁の形状に合わせて形成されていた。従って、従来の片流れ屋根の屋根縁化粧材は、各々の断面形状が異なっていた。このため、従来の片流れ屋根は、外観上の一体感やまとまりに乏しいという問題があった。また、屋根縁化粧材では、多種類の部材を準備する必要があったため、生産性についても改善の余地があった。
【０００５】
本発明は、以上のような実状に鑑み案出されたもので、良好な生産性を確保しながら、優れた外観を提供しうる片流れ屋根を具えた住宅を提供することを主たる目的としている。
【課題を解決するための手段】
【０００６】
本発明は、屋根を有する住宅であって、前記屋根は、片流れの屋根本体と、前記屋根本体の外周縁に沿って配された屋根縁化粧材とを含み、前記屋根縁化粧材は、実質的に同一の外面輪郭形状で前記屋根本体の周囲を連続してのびていることを特徴とする。
【０００７】
本発明に係る前記住宅は、前記屋根縁化粧材の前記外面輪郭形状は、前記屋根本体の屋根面側から屋根本体と離れる向きにのびる上面部、前記屋根本体の軒天井側から屋根本体と離れる向きにのびる下面部、及び、前記上面部と前記下面部との間をのびる前面部を有した略横向きのコ字状であり、前記上面部は、前記屋根本体から離れるに従って上方に向かう水勾配を有しているのが望ましい。
【０００８】
本発明に係る前記住宅は、前記上面部は、前記屋根本体の前記屋根面を、屋根縁を超えて延長させた仮想屋根面よりも上方に位置する部分を含んでいるのが望ましい。
【０００９】
本発明に係る前記住宅は、前記屋根縁化粧材は、前記屋根本体の軒、棟及びケラバに沿って配される長尺な本体部と、隣り合う前記本体部間を繋ぐコーナ部とが接続されることで構成されているのが望ましい。
【００１０】
本発明に係る前記住宅は、前記屋根縁化粧材の前記本体部は、前記下面部を含む下側部材と、前記上面部を含む上側部材とに分離可能な少なくとも２つの部材からなり、前記下側部材の上端部には、前記上側部材の下端部が挿入されることにより位置決めされる溝部が設けられているのが望ましい。
【００１１】
本発明に係る前記住宅は、前記下側部材の前記上端部は、上縁を有する前壁部と、前記前壁部の上縁よりも下方でかつ前記前壁部の屋根本体側を向く背面から前記前壁部と距離を隔てて上方にのびることにより、前記前壁部との間に前記溝部を形成する後壁部とを有しているのが望ましい。
【００１２】
本発明に係る前記住宅は、前記後壁部は、前記前壁部の背面から前記屋根本体側に凸となる半円状の円弧でのびる第１部分と、前記第１部分に連なり前記前壁部に沿ってのびる第２部分とを含んでおり、前記上側部材の前記下端部は、前記溝部に差し込まれる挿入部と、前記挿入部に連なり前記後壁部の前面に沿って配される立片とを有しているのが望ましい。
【発明の効果】
【００１３】
本発明の住宅の屋根は、片流れの屋根本体と、屋根本体の外周縁に沿って配された屋根縁化粧材とを含んでいる。このような屋根縁化粧材は、屋根本体の外周縁を覆うことができるため、屋根の外観の向上や、雨仕舞するのに役立つ。
【００１４】
屋根縁化粧材は、実質的に同一の外面輪郭形状で前記屋根本体の周囲を連続してのびている。このような屋根縁化粧材は、外観上の一体感やまとまりを向上させることができる。従って、本発明の住宅は、優れた外観を有する屋根を具えることができる。
【００１５】
また、屋根縁化粧材は、実質的に同一の外面輪郭形状であるため、従来に比べて、部材の種類を最小限に抑えることができる。従って、本発明の住宅は、生産性を向上しうる。
【図面の簡単な説明】
【００１６】
【図１】本実施形態の本実施形態の住宅の正面図である。
【図２】住宅の側面図である。
【図３】住宅の背面図である。
【図４】図１のＡ１−Ａ１断面図である。
【図５】図４の軒側の拡大図である。
【図６】図４の棟側の拡大図である。
【図７】図１のＡ２−Ａ２断面図である。
【図８】屋根縁化粧材の平面図である。
【図９】図８のＡ３−Ａ３断面図である。
【図１０】軒本体部及びブラケットの分解断面図である。
【図１１】下側部材、上側部材及び第２ブラケットの分解断面図である。
【図１２】下側部材の上端部、及び、上側部材の下端部の拡大断面図である。
【図１３】上側部材の取り付けを説明する断面図である。
【図１４】棟本体部及びブラケットの分解断面図である。
【図１５】ケラバ本体部及びブラケットの分解断面図である。
【発明を実施するための形態】
【００１７】
以下、本発明の実施の一形態が図面に基づき説明される。
図１には、本実施形態の住宅の正面図、図２には、住宅の側面図、及び、図３には、住宅の背面図が示される。本実施形態の住宅１の屋根２は、例えば、棟Ｓ２側から軒Ｓ１側に向かって一方向のみに勾配を有する片流れ屋根２Ａとして構成されている。屋根２は、片流れの屋根本体３と、屋根本体３の外周縁３ｔに沿って配された屋根縁化粧材４とを含んでいる。
【００１８】
屋根本体３は、住宅１の壁面５よりも、軒Ｓ１側、棟Ｓ２側及びケラバＳ３側に突出している。このため、屋根本体３には、軒Ｓ１側、棟Ｓ２側及びケラバＳ３側において、軒天井６が形成される。
【００１９】
図４には、図１のＡ１−Ａ１断面図、図５には、図４の軒側の拡大図、図６には、図４の棟側の拡大図、図７には、図１のＡ２−Ａ２断面図が示される。屋根本体３は、例えば、垂木７等で支持された野地板８と、野地板８の外側に配された金属製の下地鋼板９と、この下地鋼板９を介して野地板８の外側に固着されたソーラーパネル１０とを含んでいる。なお、屋根本体３には、ソーラーパネル１０に代えて、瓦等が配置されても良いのは言うまでもない。
【００２０】
垂木７は、例えばＩ形鋼や、Ｈ形鋼等の鋼材からなる屋根梁Ｌに取付けられる。垂木７は、棟Ｓ２側から軒Ｓ１側に向かって下降する勾配を有している。また、垂木７には、軒Ｓ１側の端部に、軒側下地材１１が固着されている。この軒側下地材１１には、軒樋１２が固着されている。さらに、垂木７には、棟Ｓ２側の端部に固着される棟側下地材１３と、ケラバＳ３側の端部に固着されるケラバ側下地材１４（図７に示す）とが設けられる。
【００２１】
野地板８は、例えば、強度の高い構造用合板からなる。野地板８は、例えば、垂木７の勾配に沿って固着されている。また、本実施形態の野地板８の外面には、例えば、雨水の進入を防ぐために、防水シート層（図示省略）が敷設されている。防水シート層としては、特に限定されないが、防水性及び柔軟性に優れるアスファルトルーフィングや透湿防水シート等が好ましい。
【００２２】
本実施形態の下地鋼板９は、防水シート層（図示省略）を介して、野地板８の外側に配置されている。下地鋼板９は、不燃性の金属からなる。このため、下地鋼板９は、例えば、瓦等を用いることなく耐火性能に優れる屋根を構成することができる。図５に示されるように、下地鋼板９の軒Ｓ１側の端部には、水切り板２５が設けられている。このような水切り板２５は、屋根勾配に沿って流れる雨水を軒樋１２に円滑に排出しうる。
【００２３】
図６に示されるように、下地鋼板９は、ソーラーパネル１０の内方を通って棟Ｓ２側にのびている。また、下地鋼板９は、棟Ｓ２側で上向きに折り返された返し部９ａが設けられている。さらに、図７に示されるように、下地鋼板９は、ソーラーパネル１０の内方を通って、ケラバＳ３側にのびている。さらに、下地鋼板９は、ケラバＳ３側で上向きに折り返された返し部９ｂが設けられている。これらの返し部９ａ、９ｂは、棟Ｓ２側及びケラバＳ３側において、下地鋼板９の上面の雨水が野地板８側に回り込むのを防ぐことができ、効果的に水仕舞することができる。
【００２４】
ソーラーパネル１０は、屋根勾配に沿って配置される。本実施形態のソーラーパネル１０は、野地板８の上方に配置される太陽光電池モジュール２６と、太陽光電池モジュール２６を野地板８の上で支持する固着具２７とを含んで構成されている。
【００２５】
図６に示されるように、ソーラーパネル１０の棟Ｓ２側には、棟側化粧カバー２９が配されている。棟側化粧カバー２９は、屋根の流れ方向と直交する方向において、複数の凸部２９ａと複数の溝２９ｂとが交互に配置され、波板状に形成されている。凸部２９ａ及び溝２９ｂは、屋根勾配に沿ってのびている。このような棟側化粧カバー２９は、その上面の雨水を、屋根勾配に沿って円滑に排出しうる。
【００２６】
図７に示されるように、ソーラーパネル１０のケラバＳ３側には、ケラバ側化粧カバー３０が配されている。ケラバ側化粧カバー３０は、棟側化粧カバー２９と同様に、屋根の流れ方向と直交する方向において、複数の凸部３０ａと複数の溝３０ｂとが交互に配置され、波板状に形成されている。このようなケラバ側化粧カバー３０も、その上面の雨水を、屋根勾配に沿って円滑に排出しうる。
【００２７】
さらに、ケラバ側化粧カバー３０のケラバＳ３側には、ケラバＳ３側にのびる延長部３１が設けられている。延長部３１は、ケラバ側化粧カバー３０側からケラバＳ３側に、屋根面３Ｓに沿ってのびる本体３１ａと、本体３１ａのケラバＳ３側の端部で上方にのびる第１突片３１ｂと、本体３１ａのソーラーパネル１０側の端部で上方にのびる第２突片３１ｃとを含んでいる。第１突片３１ｂは、下地鋼板９の返し部９ｂよりも屋根本体３側に配置されている。このような延長部３１は、ケラバ側化粧カバー３０のケラバＳ３側の水仕舞を効果的に行うことができる。
【００２８】
図８には、屋根縁化粧材４の平面図、図９には、図８のＡ３−Ａ３断面図が示される。本実施形態の屋根縁化粧材４は、屋根本体３の軒Ｓ１、棟Ｓ２及びケラバＳ３に沿って配される長尺な本体部３３と、隣り合う本体部３３、３３間を繋ぐコーナ部３４とを含んで構成されている。本体部３３とコーナ部３４とが接続されることにより、屋根縁化粧材４が構成される。また、本体部３３は、軒Ｓ１に沿って配置される軒本体部３３Ａと、棟Ｓ２に沿って配置される棟本体部３３Ｂと、ケラバＳ３に沿って配置されるケラバ本体部３３Ｃとを含んで構成される。 
【００２９】
図５、図６、図７及び図９に示されるように、軒本体部３３Ａ、棟本体部３３Ｂ、ケラバ本体部３３Ｃ及びコーナ部３４の外面輪郭形状３６は、屋根本体３の屋根面３Ｓ側から屋根本体３と離れる向きにのびる上面部３６ａ、屋根本体３の軒天井６側から屋根本体３と離れる向きにのびる下面部３６ｂ、及び、上面部３６ａと下面部３６ｂとの間をのびる前面部３６ｃを有する。これにより、外面輪郭形状３６は、略横向きのコ字状に形成される。
【００３０】
本実施形態の屋根縁化粧材４は、本体部３３及びコーナ部３４が、実質的に同一の外面輪郭形状３６で、屋根本体３の周囲を連続してのびている。このような屋根縁化粧材４は、屋根２の外観上の一体感や、まとまりを向上させることができる。従って、本発明の住宅１は、優れた外観を有する屋根２を具えることができる。
【００３１】
さらに、屋根縁化粧材４は、実質的に同一の外面輪郭形状３６であるため、従来に比べて、本体部３３及びコーナ部３４等の部材の種類を最小限に抑えることができる。従って、本発明の住宅１は、生産性を向上しうる。また、屋根縁化粧材４は、屋根本体３の外周縁３ｔを覆うことができるため、雨仕舞を効果的に行いうる。なお、実質的に同一の外面輪郭形状３６とは、本実施形態では、上面部３６ａ、下面部３６ｂ及び前面部３６ｃを含む輪郭形状を意味し、上面部３６ａ、下面部３６ｂ及び前面部３６ｃのそれぞれの形状等が、屋根本体３の周囲で異なるものも含んでいる。
【００３２】
上面部３６ａは、屋根本体３から離れるに従って、上方に向かう水勾配を有するのが望ましい。このような上面部３６ａは、その上面部３６ａの雨水を、水勾配に沿って円滑に排出しうる。軒Ｓ１側の上面部３６ａは、その屋根本体３側に、軒樋１２が設けられているため、雨水を軒樋１２に円滑に排出しうる。
【００３３】
また、上面部３６ａには、屋根本体３の屋根面３Ｓを、屋根縁を超えて延長させた仮想屋根面３Ｖよりも上方に位置する部分（以下、単に「上方部分」ということがある。）３７が含まれるのが望ましい。これにより、上面部３６ａは、屋根面３Ｓの雨水が、上面部３６ａを越えて、軒Ｓ１側、棟Ｓ２側及びケラバＳ３側に流れるのを防ぐことができる。
【００３４】
さらに、軒本体部３３Ａ、棟本体部３３Ｂ、ケラバ本体部３３Ｃ及びコーナ部３４において、上方部分３７の仮想屋根面３Ｖに対する各角度α１、α２、α３及びα４は、同一に設定されるのが望ましい。ここで、各角度α１、α２、α３及びα４が同一とは、実質的な同一を意味し、−５〜＋５度の誤差を許容する。これにより、本実施形態では、軒本体部３３Ａ、棟本体部３３Ｂ、ケラバ本体部３３Ｃ及びコーナ部３４の各外面輪郭形状３６をより近似させることができ、屋根２の外観性、及び、生産性を向上しうる。なお、各角度α１、α２、α３及びα４は、例えば、１０〜３０度程度が望ましい。
【００３５】
図５に示されるように、本実施形態の軒本体部３３Ａは、下面部３６ｂを含む下側部材３８と、上面部３６ａを含む上側部材３９とに分離可能な少なくとも２つ、本実施形態では２つの部材から構成されている。これらの下側部材３８及び上側部材３９が連結されることにより、上面部３６ａ、下面部３６ｂ及び前面部３６ｃが形成される。また、本実施形態の軒本体部３３Ａは、下側部材３８及び上側部材３９が、その長手方向に、同一断面形状で連続している。
【００３６】
軒本体部３３Ａは、軒側下地材１１に固着されるブラケット４７を介して、軒Ｓ１に配置される。ブラケット４７は、軒側下地材１１に固着される第１ブラケット４７Ａ、及び、第１ブラケット４７Ａに支持され、かつ、軒樋１２の軒Ｓ１側に配置される第２ブラケット４７Ｂを含んで構成されている。
【００３７】
図１０には、軒本体部３３Ａ及びブラケット４７の分解断面図が示される。第１ブラケット４７Ａは、下側ブラケット４７Ａａと、下側ブラケット４７Ａａの上側に配置された上側ブラケット４７Ａｂとから構成されている。なお、下側ブラケット４７Ａａ及び上側ブラケット４７Ａｂは、一体に形成されてもよい。
【００３８】
下側ブラケット４７Ａａは、軒側下地材１１（図５に示す）の軒Ｓ１側を向く前面に沿って上下にのびる第１片４８ａと、第１片４８ａの下端でフランジ状にのびる第２片４８ｂとを含んでいる。第２片４８ｂは、軒Ｓ１側にのびる軒側鍔部４９ａと、棟Ｓ２側にのびる棟側鍔部４９ｂとを含んでいる。棟側鍔部４９ｂには、その下面から下方に突出する係合部４９ｅが設けられている。下側ブラケット４７Ａａは、軒Ｓ１に沿ってのびる長尺材として構成されている。
【００３９】
上側ブラケット４７Ａｂは、軒側下地材１１（図５に示す）の前面に沿って、下側ブラケット４７Ａａの第１片４８ａの上端から上方にのびる基片４８ｆと、基片４８ｆの上端から軒Ｓ１側にのびる第３片４８ｃと、第３片４８ｃの軒Ｓ１側の端部から上方にのびる第４片４８ｄと、第４片４８ｄの上端から屋根本体３側に折れ曲がる第５片４８ｅとを含んでいる。この上側ブラケット４７Ａｂは、軒Ｓ１に沿って隔設される。
【００４０】
このような第１ブラケット４７Ａは、まず、上側ブラケット４７Ａｂの基片４８ｆが、軒側下地材１１に固着される。次に、下側ブラケット４７Ａａの第１片４８ａが、上側ブラケット４７Ａｂの基片４８ｆの下側で、軒側下地材１１に固着される。本実施形態では、上側ブラケット４７Ａｂの基片４８ｆの下端と、下側ブラケット４７Ａａの第１片４８ａの上端とが当接している。これにより、第１ブラケット４７Ａは、軒側下地材１１に固着される。
【００４１】
図１１には、下側部材３８、上側部材３９及び第２ブラケット４７Ｂの分解断面図が示される。第２ブラケット４７Ｂは、軒樋１２の下方から軒Ｓ１側に向かってのびる下片５０ａと、下片５０ａから上方に向かって、軒Ｓ１側に傾斜してのびる中片５０ｂと、中片５０ｂの上端から屋根本体３側に向かって傾斜してのびる上片５０ｃと、上片５０ｃの上端から屋根本体３側に折れ曲がる折返片５０ｄを含んでいる。
【００４２】
下側部材３８は、屋根本体３の軒天井６（図４に示す）側から屋根本体３と離れる向きにのびる下片３８ａと、下片３８ａの端部から上方にのびる中片３８ｂと、中片３８ｂの上端から屋根本体３側にのびる折返し部３８ｃと、折返し部３８ｃから上方にのびる上端部３８ｄとを含んで構成されている。
【００４３】
下片３８ａは、軒樋１２（図１０に示す）及びブラケット４７の下方を、軒天井６側から軒Ｓ１側に向かって傾斜してのびている。また、下片３８ａの屋根本体３側の端部には、上方に向かってのびる第１片４４ａと、第１片４４ａの上端から軒Ｓ１側にのびる第２片４４ｂと、第１片４４ａの上端から屋根本体３側にのびる第３片４４ｃが設けられる。これにより、下片３８ａには、第２ブラケット４７Ｂの下片５０ａの端部を把持する溝部４４ｄが形成される。
【００４４】
中片３８ｂは、下片３８ａの端部から屋根本体３（図１０に示す）と離れる向きに傾斜してのびている。また、折返し部３８ｃは、中片３８ｂの上端から屋根本体３に向かって、上方に傾斜してのびている。
【００４５】
図１２には、下側部材３８の上端部３８ｄ及び上側部材３９の下端部３９ｄの拡大断面図が示される。上端部３８ｄは、前壁部４１と、該前壁部４１の屋根本体３（図１０に示す）側に配置される後壁部４２とを有している。
【００４６】
前壁部４１は、折返し部３８ｃの屋根本体３（図１０に示す）側の端部から上方にのびている。また、前壁部４１は、折返し部３８ｃの端部から屋根本体３と離れる向きに傾斜している。この前壁部４１は、屋根本体３側を向く背面４１ｂ、該背面４１ｂと逆側を向く前面４１ｆ、及び、背面４１ｂと前面４１ｆとを継ぐ上縁４１ｕを有している。
【００４７】
後壁部４２は、前壁部４１の上縁４１ｕよりも下方でかつ前壁部４１の背面４１ｂから、前壁部４１と距離を隔てて上方にのびている。これにより、前壁部４１と後壁部４２との間には、上方に開口する溝部４３が形成される。
【００４８】
また、後壁部４２は、前壁部４１の背面４１ｂから屋根本体３（図１０に示す）側に凸となる半円状の円弧でのびる第１部分４２ａと、第１部分４２ａに連なり前壁部４１に沿ってのびる第２部分４２ｂとを含んでいる。さらに、第２部分４２ｂには、軒Ｓ１側を向く前面から軒Ｓ１側に突出する突片４２ｃが設けられている。
【００４９】
図１１に示されるように、上側部材３９は、上面部３６ａを形成する上片３９ａと、上片３９ａの端部から下方にのびる中片３９ｂと、中片３９ｂの下端から屋根本体３側にのびる下片３９ｃと、下片３９ｃの屋根本体３側の端部から上方へ突出する下端部３９ｄとを含んで構成されている。
【００５０】
上片３９ａの屋根本体３側の端部は、第２ブラケット４７Ｂの折返片５０ｄの上面に沿って配置される。また、中片３９ｂは、屋根本体３から離れる向きに凸となるように湾曲している。下片３９ｃは、中片３９ｂの下端から屋根本体３側に向かって、下方に傾斜してのびている。
【００５１】
図１２に示されるように、下端部３９ｄは、溝部４３に差し込まれる挿入部４５と、挿入部４５に連なり後壁部４２の前面に沿って配される立片４６とを有している。
【００５２】
挿入部４５は、下片３９ｃの端部から下方に突出し、かつ前壁部４１の背面４１ｂに沿って配される凸部４５ａと、凸部４５ａから上方にのび、かつ、屋根本体３（図１０に示す）側に凸となる半円状の円弧の湾曲部４５ｂとを含んで構成される。
【００５３】
凸部４５ａの下端は、下方に向かって凸となる鋭角状に形成されている。湾曲部４５ｂの外周面の曲率は、下側部材３８の第１部分４２ａの内面の曲率と同一に設定されている。また、立片４６の上端は、上側部材３９の下端部３９ｄが、下側部材３８の上端部３８ｄに挿入された状態において、後壁部４２の突片４２ｃの下端に当接、又は該下端よりも下方に配置されている。
【００５４】
図１０に示されるように、本実施形態では、先ず、下側部材３８及び上側部材３９が、第２ブラケット４７Ｂに一体に固着される。そして、下側部材３８、上側部材３９、及び、第２ブラケット４７Ｂの一体物が、第１ブラケット４７Ａに固着される。これにより、軒本体部３３Ａは、軒側下地材１１に固着されるブラケット４７を介して、軒Ｓ１に配置される。
【００５５】
図１０及び図１１に示されるように、本実施形態では、先ず、第２ブラケット４７Ｂの下片５０ａが、下側部材３８の溝部４４ｄに挿入される。次に、下側部材３８の後壁部４２の第２部分４２ｂが、第２ブラケット４７Ｂの中片５０ｂに、リベット等の固着具２３を用いて固着される。これにより、下側部材３８と第２ブラケット４７Ｂとが、一体に固定される。
【００５６】
図１３は、上側部材３９の取り付けを説明する断面図である。上側部材３９は、先ず、上側部材３９の上片３９ａ側が軒Ｓ１側に傾斜されて、挿入部４５の凸部４５ａが、下側部材３８の前壁部４１の上縁４１ｕ（図１２に示す）に配置される。次に、凸部４５ａと前壁部４１との接点を支点として、上側部材３９が、図において時計回りに回転される。上側部材３９の湾曲部４５ｂの曲率は、下側部材３８の第１部分４２ａの曲率と同一に設定されているため、湾曲部４５ｂが第１部分４２ａにガイドされて、上側部材３９をスムーズに回転しうる。これにより、図５及び図１３に示されるように、上側部材３９は、上側部材３９の挿入部４５が、下側部材３８の溝部４３に挿入される。本実施形態の凸部４５ａは、鋭角状に形成されているため、挿入部４５を溝部４３に円滑に挿入しうる。また、上側部材３９の立片４６は、下側部材３８の第２部分４２ｂに当接する。これにより、上側部材３９は、下側部材３８に位置決めされる。
【００５７】
さらに、本実施形態では、上側部材３９の立片４６の上縁が、下側部材３８の突片４２ｃに当接する。これにより、上側部材３９の下端部３９ｄ（図１２に示す）は、下側部材３８の上端部３８ｄに上下方向で挟持されるため、上側部材３９が下側部材３８に安定して位置決めされる。このように、本実施形態では、上側部材３９が下側部材３８及び第２ブラケット４７Ｂに固定されるに先立ち、上側部材３９を、下側部材３８に安定して位置決めすることができる。従って、本実施形態では、熟練を必要とすることなく長尺な上側部材３９の取り付け作業を、容易に実施することができる。
【００５８】
次に、図１１に示されるように、上側部材３９の下端部３９ｄが、下側部材３８の第２部分４２ｂ、及び、第２ブラケット４７Ｂの中片５０ｂに、リベット等の固着具２４を用いて固定される。次に、上側部材３９の上片３９ａが、第２ブラケット４７Ｂの折返片５０ｄに、リベット等の固着具２２を用いて固定される。これにより、下側部材３８及び上側部材３９は、第２ブラケット４７Ｂと一体に固着される。
【００５９】
次に、図１０に示されるように、下側部材３８の下片３８ａの第３片４４ｃが、下側ブラケット４７Ａａの軒側鍔部４９ａに固着される。次に、上側部材３９の上片３９ａが、上側ブラケット４７Ａｂの第５片４８ｅに固着される。これにより、下側部材３８、上側部材３９、及び、第２ブラケット４７Ｂの一体物が、第１ブラケット４７Ａに固着される。さらに、下側ブラケット４７Ａａの係合部４９ｅには、下側ブラケット４７Ａａの第２片４８ｂ、及び、下側部材３８の第３片４４ｃを覆うカバー部材４０が固着される。
【００６０】
このように、本実施形態では、下側部材３８、上側部材３９、及び、第２ブラケット４７Ｂを予め固定させた後に、第１ブラケット４７Ａに固着されるため、軒本体部３３Ａを、軒Ｓ１に容易に配置しうる。
【００６１】
図１０に示されるように、本実施形態の軒本体部３３Ａは、その上面部３６ａ（図５に示す）を形成する上側部材３９の上片３９ａ、及び、下面部３６ｂ（図５に示す）を形成する下側部材３８の下片３８ａがそれぞれ傾斜している。さらに、軒本体部３３Ａは、その前面部３６ｃ（図５に示す）を形成する上側部材３９の中片３９ｂ、下片３９ｃ、下側部材３８の中片３８ｂ、折返し部３８ｃ、及び、前壁部４１が、それぞれ傾斜している。このように、軒本体部３３Ａでは、上面部３６ａ、下面部３６ｂ、及び、前面部３６ｃのそれぞれに、水勾配が形成されるため、雨水を円滑に排出しうる。
【００６２】
図１２に示されるように、上側部材３９には、中片３９ｂと下片３９ｃとの出隅部に、中片３９ｂの下端から下方にのびる垂下部３９ｅが形成されるのが望ましい。このような垂下部３９ｅは、中片３９ｂの雨水を、下片３９ｃに回り込ませることなく、下方に案内することができる。従って、垂下部３９ｅは、下側部材３８と上側部材３９との隙間に、雨水が浸入するのを防ぐことができる。
【００６３】
図６に示されるように、棟本体部３３Ｂは、図５に示した軒本体部３３Ａと同様に、下側部材５３及び上側部材５４から構成されている。本実施形態では、軒本体部３３Ａと同様に、下側部材５３及び上側部材５４が、その長手方向に、同一断面形状で連続している。また、棟本体部３３Ｂは、棟側下地材１３に固着されるブラケット５５を介して、棟Ｓ２に配置されている。
【００６４】
図１４には、棟本体部３３Ｂ及びブラケット５５の分解断面図が示される。ブラケット５５は、下側ブラケット５５Ａと、下側ブラケット５５Ａの上側に配置された上側ブラケット５５Ｂとから構成されている。なお、下側ブラケット５５Ａ及び上側ブラケット５５Ｂは、一体に形成されてもよい。
【００６５】
下側ブラケット５５Ａは、棟側下地材１３に沿って上下にのびる基部５５ａと、基部５５ａの下端から屋根本体３と離れる向きに折リ返す第１折返片５５ｂと、第１折返片５５ｂの端部から下方にのびる下片５５ｃとが含まれる。この下側ブラケット５５Ａは、棟Ｓ２に沿って隔設される。
【００６６】
上側ブラケット５５Ｂは、棟側下地材１３の前面に沿って、下側ブラケット５５Ａの基部５５ａの上端から上方にのびる基片５５ｇと、基片５５ｇの上端から屋根本体３と離れる向きにのびる中片５５ｄと、中片５５ｄの端部から上方へのびる上片５５ｅと、上片５５ｅの上端から屋根本体３側に折れ曲がる第２折返部５５ｆとを含んで構成される。この上側ブラケット５５Ｂも、棟Ｓ２に沿って隔設される。
【００６７】
中片５５ｄは、野地板８の下面に沿って、屋根本体３と離れる向きにのびている。上片５５ｅは、下地鋼板９の返し部９ａよりも棟Ｓ２側で、返し部９ａに沿って傾斜してのびている。第２折返部５５ｆは、上片５５ｅの上端から、下地鋼板９の返し部９ａを超えて、屋根本体３側にのびている。
【００６８】
このようなブラケット５５は、まず、上側ブラケット５５Ｂの基片５５ｇが、棟側下地材１３に固着される。次に、下側ブラケット５５Ａの基部５５ａが、上側ブラケット５５Ｂの基片５５ｇの下側で、棟側下地材１３に固着される。本実施形態では、上側ブラケット５５Ｂの基片５５ｇの下端と、下側ブラケット５５Ａの基部５５ａの上端とが当接している。これにより、ブラケット５５は、棟側下地材１３に固着される。
【００６９】
下側部材５３は、図１１に示した軒本体部３３Ａと同様に、下片５３ａ、中片５３ｂ、折返し部５３ｃ及び上端部５３ｄを含んで構成されている。下片５３ａは、棟側下地材１３の下方を、軒天井６側から棟Ｓ２側に向かって上方に傾斜してのびている。また、下片５３ａの上面には、上方に突出する一対の立片５６ａ、５６ａを有する係合部５６が固定されている。
【００７０】
中片５３ｂは、下片５３ａの端部から屋根本体３側に向かって上方に傾斜してのびている。また、折返し部５３ｃは、中片５３ｂの上端から屋根本体３側に向かって上方に傾斜してのびている。
【００７１】
上端部５３ｄは、図１２に示した軒本体部３３Ａの上端部３８ｄと同様に、前壁部５７及び後壁部５８を有している。前壁部５７と後壁部５８との間には、溝部５９が形成されている。前壁部５７は、棟側下地材１３に沿って上下方向にのびている。また、後壁部５８には、半円状の円弧でのびる第１部分５８ａと、前壁部５７に沿ってのびる第２部分５８ｂと、棟Ｓ２側を向く前面から棟Ｓ２側に突出する突片５８ｃとが設けられている。
【００７２】
このような下側部材５３は、先ず、一対の立片５６ａ、５６ａが、棟側下地材１３の下端に嵌め込まれる。次に、下側部材５３は、第２部分５８ｂの上端が、下側ブラケット５５Ａの下片５５ｃに固定される。これにより、下側部材５３は、ブラケット５５を介して、棟側下地材１３に容易に固定される。
【００７３】
上側部材５４は、図１１に示した軒本体部３３Ａと同様に、上片５４ａ、中片５４ｂ、下片５４ｃ及び下端部５４ｄを含んで構成されている。また、中片５４ｂと下片５４ｃとの出隅部には、中片５４ｂの下端から下方にのびる垂下部５４ｅが形成されている。
【００７４】
上片５４ａは、上側ブラケット５５Ｂの上片５５ｅ及び第２折返部５５ｆの上方に配置されている。さらに、上片５４ａの屋根本体３側の端部は、第２折返部５５ｆの上面に沿って配置される。このような上側部材５４は、下地鋼板９の返し部９ａを超えて、屋根本体３側にのびるため、屋根本体３の棟Ｓ２側を効果的に水仕舞することができる。また、中片５４ｂは、屋根本体３から離れる向きに凸となるように湾曲している。さらに、下片５４ｃは、中片５４ｂの下端から屋根本体３側に向かって、下方に傾斜してのびている。
【００７５】
下端部５４ｄは、図１２に示した軒本体部３３Ａの下端部３９ｄと同様に、挿入部６１及び立片６２を有している。挿入部６１は、下片５４ｃの端部から下方に突出し、かつ前壁部５７に沿って配される凸部６１ａと、後壁部５８の第１部分５８ａの前面に沿って配される湾曲部６１ｂとを含んで構成されている。凸部６１ａの下端は、下方に向かって凸となる鋭角状に形成されている。また、立片６２の上端は、上側部材５４の下端部５４ｄが、下側部材５３の上端部５３ｄに挿入された状態において、後壁部５８の突片５８ｃの下端に当接、又は該下端よりも下方に配置されている。
【００７６】
このような上側部材５４は、図１３に示した軒本体部３３Ａの上側部材３９と同様に、その下端部５４ｄの挿入部６１が、下側部材５３の上端部５３ｄの溝部５９に挿入される。これにより、上側部材５４は、下側部材５３に位置決めされる。また、図６に示されるように、上側部材５４の立片６２の上縁は、下側部材５３の突片５８ｃに当接する。これにより、上側部材５４の下端部５４ｄ（図１４に示す）は、下側部材５３の上端部５３ｄ（図１４に示す）に上下方向で把持される。
【００７７】
図１４に示されるように、上側部材５４は、上片５４ａの屋根本体３側の端部が、上側ブラケット５５Ｂの第２折返部５５ｆの上面に固着される。これにより、上側部材５４は、下側部材５３及びブラケット５５を介して、棟側下地材１３に固着される。従って、本実施形態の棟本体部３３Ｂでは、熟練を必要とすることなく、棟Ｓ２側に容易に取り付けることができる。
【００７８】
また、本実施形態では、下側部材５３の下片５３ａ、中片５３ｂ及び折返し部５３ｃが、それぞれ傾斜している。さらに、上側部材５４の上片５４ａ、中片５４ｂ及び下片５４ｃが、それぞれ傾斜している。これにより、図６に示されるように、棟本体部３３Ｂでは、上面部３６ａ、下面部３６ｂ及び前面部３６ｃのそれぞれに、水勾配が形成されるため、雨水を円滑に排出しうる。
【００７９】
図７に示されるように、ケラバ本体部３３Ｃは、図５及び図６に示した軒本体部３３Ａ及び棟本体部３３Ｂと同様に、下側部材６５及び上側部材６６から構成されている。本実施形態では、軒本体部３３Ａ及び棟本体部３３Ｂと同様に、下側部材６５及び上側部材６６が、その長手方向に、同一断面形状に連続している。また、ケラバ本体部３３Ｃは、ケラバ側下地材１４に固着されるブラケット６７を介して、ケラバＳ３に配置されている。
【００８０】
図１５には、ケラバ本体部３３Ｃ及びブラケット６７の分解断面図が示される。ブラケット６７は、図１４に示した棟本体部３３Ｂのブラケット５５と同様に、下側ブラケット６７Ａと、上側ブラケット６７Ｂとから構成されている。なお、下側ブラケット６７Ａ及び上側ブラケット６７Ｂは、一体に形成されてもよい。
【００８１】
下側ブラケット６７Ａは、基部６７ａ、第１折返片６７ｂ及び下片６７ｃが含まれる。また、上側ブラケット６７Ｂは、基片６７ｇ、中片６７ｄ、上片６７ｅ及び第２折返片６７ｆが含まれる。上片６７ｅは、下地鋼板９の返し部９ｂよりもケラバＳ３側で、下地鋼板９の返し部９ｂに沿ってのびている。第２折返片６７ｆは、上片６７ｅの上端から、返し部９ｂを超えて、屋根本体３側にのびている。また、下側ブラケット６７Ａ及び上側ブラケット６７Ｂは、ケラバＳ３に沿って隔設されている。
【００８２】
このようなブラケット６７は、まず、上側ブラケット６７Ｂの基片６７ｇが、ケラバ側下地材１４に固着される。次に、下側ブラケット６７Ａの基部６７ａが、上側ブラケット６７Ｂの基片６７ｇの下側で、ケラバ側下地材１４に固着される。本実施形態では、上側ブラケット６７Ｂの基片６７ｇの下端と、下側ブラケット６７Ａの基部６７ａの上端とが当接している。これにより、ブラケット６７は、ケラバ側下地材１４に固着される。
【００８３】
下側部材６５は、図１４に示した棟本体部３３Ｂの下側部材５３と同様に、下片６５ａ、中片６５ｂ、折返し部６５ｃ及び上端部６５ｄを含んで構成されている。下片６５ａの上面には、上方に突出する一対の立片６９ａ、６９ａを有する係合部６９が設けられている。
【００８４】
中片６５ｂは、下片６５ａの端部からケラバ側下地材１４に沿って、上下にのびている。折返し部６５ｃは、中片６５ｂの上端から屋根本体３に向かって、上方に傾斜してのびている。
【００８５】
上端部６５ｄは、図１４に示した棟本体部３３Ｂの下側部材５３と同様に、前壁部７１及び後壁部７２を有している。前壁部７１と後壁部７２との間には、溝部７３が形成されている。前壁部７１は、折返し部６５ｃの屋根本体３側の端部から屋根本体３と離れる方向に向かって上方に傾斜してのびている。また、後壁部７２は、棟本体部３３Ｂと同様に、半円状の円弧でのびる第１部分７２ａと、前壁部７１に沿ってのびる第２部分７２ｂと、ケラバＳ３側を向く前面からケラバＳ３側に突出する突片７２ｃとが設けられている。
【００８６】
このような下側部材６５は、先ず、一対の立片６９ａ、６９ａが、ケラバ側下地材１４の下端に嵌め込まれる。次に、下側部材６５は、第２部分７２ｂの上端が、下側ブラケット６７Ａの下片６７ｃに固定される。これにより、下側部材６５は、ブラケット６７を介して、ケラバ側下地材１４に固定される。
【００８７】
上側部材６６は、図１４に示した棟本体部３３Ｂと同様に、上片６６ａ、中片６６ｂ、下片６６ｃ及び下端部６６ｄを含んで構成されている。また、中片６６ｂと下片６６ｃとの出隅部には、中片６６ｂの下端から下方にのびる垂下部６６ｅが形成されている。
【００８８】
上片６６ａは、下地鋼板９の返し部９ｂ、及び、延長部３１の第１突片３１ｂを越えて、屋根本体３側にのびている。このような上片６６ａは、屋根本体３のケラバＳ３側を効果的に水仕舞することができる。また、中片６６ｂは、屋根本体３から離れる向きに凸となるように湾曲している。また、下片６６ｃは、中片６６ｂの下端から屋根本体３側に向かって、下方に傾斜してのびている。
【００８９】
下端部６６ｄは、挿入部７４及び立片７５を有している。挿入部７４は、下片６６ｃの端部から下方に突出し、かつ下側部材６５の前壁部７１に沿って配される凸部７４ａと、後壁部７２の第１部分７２ａの前面に沿って配される湾曲部７４ｂとを含んで構成される。凸部７４ａの下端は、下方に向かって凸となる鋭角状に形成されている。立片７５の上端は、上側部材６６の下端部６６ｄが、下側部材６５の上端部６５ｄに挿入された状態において、後壁部７２の突片７２ｃの下端に当接、又は該下端よりも下方に配置されている。
【００９０】
このような上側部材６６は、図１３に示した軒本体部３３Ａの上側部材３９と同様に、その下端部６６ｄの挿入部７４が、下側部材６５の上端部６５ｄの溝部７３に挿入される。これにより、上側部材６６は、下側部材６５に位置決めされる。図７及び図１５に示されるように、上側部材６６の立片７５の上縁は、下側部材６５の突片７２ｃに当接する。これにより、上側部材６６の下端部６６ｄは、下側部材６５の上端部６５ｄに上下方向で把持される。
【００９１】
上側部材６６は、その上片６６ａの屋根本体３側の端部が、上側ブラケット６７Ａの第２折返片６７ｆの上面に固着される。これにより、上側部材６６は、下側部材６５及びブラケット６７を介して、ケラバ側下地材１４に固着される。従って、本実施形態のケラバ本体部３３Ｃでは、熟練を必要とすることなく、ケラバＳ３側に容易に取り付けることができる。
【００９２】
また、本実施形態では、下側部材６５の下片６５ａ、折返し部６５ｃ及び前壁部７１が、それぞれ傾斜している。さらに、上側部材６６の上片６６ａ、中片６６ｂ及び下片６６ｃが、それぞれ傾斜している。これにより、図７に示されるように、ケラバ本体部３３Ｃでは、上面部３６ａ、下面部３６ｂ及び前面部３６ｃのそれぞれに、水勾配が形成されるため、雨水を円滑に排出しうる。
【００９３】
図８に示されるように、コーナ部３４は、基部３４Ａと、該基部３４Ａの両端に形成され、かつ本体部３３の端部に嵌め込まれる一対の凸部３４Ｂ、３４Ｂが設けられる。この凸部３４Ｂは、本体部３３に嵌め込まれて固着されることにより、コーナ部３４が本体部３３に支持される。
【００９４】
図９に示されるように、基部３４Ａは、上面部３６ａを形成する上側部８１と、下面部３６ｂを形成する下側部８２と、前面部３６ｃを形成する前側部８３とを含んで構成されている。基部３４Ａは、同一断面形状で形成されている。
【００９５】
上側部８１は、屋根本体３から離れるに従って上方に傾斜してのびている。下側部８２は、屋根本体３の軒天井６側から、屋根本体３と離れる向きにのびる下片８２ａと、下片８２ａの端部から屋根本体３と離れる向きに傾斜する傾斜部８２ｂとを含んでいる。
【００９６】
前側部８３は、上側部８１の屋外側の端部から下方にのびる第１片８３ａと、第１片８３ａの下端から屋根本体３側に折り返す第２片８３ｂと、第２片８３ｂの端部から下方にのびる第３片８３ｃと、第３片８３ｃの下端から屋根本体３と離れる向きにのびる第４片８３ｄと、第４片８３ｄの端部から下方にのびる第５片８３ｅとを含んでいる。
【００９７】
第１片８３ａは、屋根本体３と離れる向きに湾曲している。第２片８３ｂは、第１片８３ａの下端から屋根本体３側に向かって傾斜している。第３片８３ｃは、第２片８３ｂの屋根本体３側の端部から屋根本体３側に向かって傾斜している。第４片８３ｄは、第３片８３ｄの下端から屋根本体３と離れる向きに傾斜している。第５片８３ｅは、第４片８３ｄの下端と、下側部８２の傾斜部８２ｂの上端との間を上下にのびている。
【００９８】
このように、コーナ部３４は、上側部８１の上面部３６ａだけでなく、下側部８２及び前側部８３に、水勾配が形成される。従って、コーナ部３４は、雨水を水勾配に沿って円滑に排出しうる。
【００９９】
以上、本発明の特に好ましい実施形態について詳述したが、本発明は図示の実施形態に限定されることなく、種々の態様に変形して実施しうる。
【符号の説明】
【０１００】
１      住宅
２      屋根
３      屋根本体
４      屋根縁化粧材
【図１】
2015010324.tif 000003
【図２】
2015010324.tif 000004
【図３】
2015010324.tif 000005
【図４】
2015010324.tif 000006
【図５】
2015010324.tif 000007
【図６】
2015010324.tif 000008
【図７】
2015010324.tif 000009
【図８】
2015010324.tif 000010
【図９】
2015010324.tif 000011
【図１０】
2015010324.tif 000012
【図１１】
2015010324.tif 000013
【図１２】
2015010324.tif 000014
【図１３】
2015010324.tif 000015
【図１４】
2015010324.tif 000016
【図１５】
2015010324.tif 000017